(57)【要約】【課題】電子情報配送システム、電子情報配送方法及び電子情報配送システムで利用される管理サーバの提供。【解決手段】電子情報を提供する提供者サーバと、電子情報を管理する管理サーバと、電子情報を利用する携帯端末と、通信ネットワークから構成される電子情報配信システムであって、管理サーバは、利用者毎に設けられた電子情報を保存する電子私書箱と、携帯端末から送信される識別情報を受信する識別情報受信手段と、電子私書箱に保存される電子情報の属性情報を携帯端末へ送信する第１送信手段と、電子情報の内容を送信する第２送信手段と、提供者サーバからの電子情報を受信する電子情報受信手段と、受信された電子情報を所定の規則に従って電子私書箱へ保存する保存処理手段とを具備することを特徴とする。【選択図】  図３
2004362473.tif 000002
【特許請求の範囲】
【請求項１】
電子情報を提供する電子情報提供者が有する提供者サーバと、該提供者が提供する該電子情報を保存し管理する管理サーバと、該管理サーバで管理される該電子情報を利用する利用者が有する携帯端末と、前記提供者サーバ、前記管理サーバ及び前記携帯端末を接続する通信ネットワークから構成される電子情報配信システムであって、
前記管理サーバは、
前記利用者毎に設けられた電子情報を保存する電子私書箱と、
前記携帯端末に対して、
前記携帯端末から送信される識別情報を受信する識別情報受信手段と、
前記電子私書箱に保存される該電子情報の属性情報を、この識別情報を送信した前記携帯端末へ送信する第１送信手段と、
前記携帯端末から送信される前記属性情報の中から選択される前記電子情報の内容を送信する第２送信手段と、
前記提供者サーバに対して、
前記提供者サーバから送信される前記電子情報を受信する電子情報受信手段と、
前記電子情報受信手段に於いて受信された前記電子情報を所定の規則に従って前記電子私書箱へ保存する保存処理手段と、
を具備することを特徴とする電子情報配送システム。
【請求項２】
前記携帯端末が前記管理サーバへ送信する識別情報は、ＪＡＶＡ（登録商標）アプレットを利用して作成されることを特徴とする請求項１記載の電子情報配送システム。
【請求項３】
前記ＪＡＶＡ（登録商標）アプレットは、前記管理サーバに保存され、前記携帯端末によって、ダウンロードされることを特徴とする請求項１又は２に記載の電子情報配送システム。
【請求項４】
前記管理サーバは、前記識別情報受信手段に於いて受信した前記識別情報の使用適正を判定する適正判定手段を有することを特徴とする請求項１乃至３いずれかに記載の電子情報配送システム。
【請求項５】
前記識別情報は、利用者を識別する利用者識別子と、該利用者識別子に整合性を具備させるための認証コードからなることを特徴とする請求項１乃至４いずれかに記載の電子情報配送システム。
【請求項６】
前記管理サーバは、前記認証コードと変更される新認証コードを受信することで、該認証コードから該新認証コードに変更することができる認証コード変更手段を有していることを特徴とする請求項１乃至５いずれかに記載の電子情報配送システム。
【請求項７】
前記管理サーバは、前記携帯端末から送信される前記識別情報に従って前記電子私書箱を作成する電子私書箱作成手段を有していることを特徴とする請求項１乃至６いずれかに記載の電子情報配送システム。
【請求項８】
前記電子私書箱作成手段は、前記利用者の属性情報を前記電子私書箱に保存することを特徴とする請求項１乃至７いずれかに記載の電子情報配送システム。
【請求項９】
前記保存処理手段が有する所定の規則は、前記電子私書箱に保存される前記属性情報に従って設定されていることを特徴とする請求項１乃至８いずれかに記載の電子情報配送システム。
【請求項１０】
前記電子私書箱に保存される電子情報は、テキスト形式によって作成された電子情報であることを特徴とする請求項１乃至９いずれかに記載の電子情報配信システム。
【請求項１１】
電子情報を提供する電子情報提供者が有する提供者サーバと、該提供者が提供する該電子情報を保存し管理する管理サーバと、該管理サーバで管理される該電子情報を利用する利用者が有する携帯端末と、前記提供者サーバ、前記管理サーバ及び前記携帯端末を接続する通信ネットワークから構成される電子情報配信方法であって、
前記管理サーバが前記利用者の電子情報を保存する電子私書箱を作成し、
前記提供者サーバから送信される電子情報を受信し、
前記電子情報が所定の規則に従って前記電子私書箱に保存され、
前記携帯端末が前記電子私書箱に保存されている電子情報の属性情報の送信を促す要求を送信し、
前記管理サーバが、前記要求に応じて、前記電子私書箱に保存される前記電子情報の属性情報を前記携帯端末へ送信し、
前記携帯端末が、前記属性情報から所望する電子情報を選出して、選出された該電子情報を該携帯端末へ送信することを促す送信を行い、
前記管理サーバが、前記携帯端末からの前記促す送信に従って、前記電子私書箱から前記電子情報が送信される
ことを特徴とする電子情報配送方法。
【請求項１２】
電子情報を提供する電子情報提供者が有する提供者サーバと、該提供者が提供する該電子情報を保存し管理する管理サーバと、該管理サーバで管理される該電子情報を利用する利用者が有する携帯端末と、前記提供者サーバ、前記管理サーバ及び前記携帯端末を接続する通信ネットワークから構成される電子情報配信システムで利用される管理サーバであって、
この管理サーバは、
前記利用者毎に設けられた電子情報を保存する電子私書箱と、
前記携帯端末に対して、
前記携帯端末から送信される識別情報を受信する識別情報受信手段と、
前記電子私書箱に保存される該電子情報の属性情報を、この識別情報を送信した前記携帯端末へ送信する第１送信手段と、
前記携帯端末から送信される前記属性情報の中から選択される前記電子情報の内容を送信する第２送信手段と、
前記提供者サーバに対して、
前記提供者サーバから送信される前記電子情報を受信する電子情報受信手段と、
前記電子情報受信手段に於いて受信された前記電子情報を所定の規則に従って前記電子私書箱へ保存する保存処理手段と、
を具備することを特徴とする電子情報配送システムで利用される管理サーバ。
【発明の詳細な説明】
【０００１】
【発明の属する技術分野】
本発明は、電子情報配送システム、電子情報配送方法及び電子情報配送システムで利用される管理サーバに関し、より詳しくは、提供者が提供する電子情報を管理サーバが有する電子私書箱を利用することによって、提供者は利用者の利用率の高い電子情報を利用者に送信することができる一方で、利用者は、携帯端末から電子私書箱にアクセスするだけで所望する電子情報を受信することができると共に個人情報が漏洩する危険性の全く無い電子情報配送システム、電子情報配送方法及び電子情報配送システムで利用される管理サーバに関する。
【０００２】
【従来の技術】
従来、通信ネットワークを使用して、利用者間で情報の送受信を行う方法として電子メールが知られている。電子メールは、インターネット上の電子メールアドレスを有している相手ならば簡単に送信することができる。
しかしながら、従来技術に於ける電子メールをダイレクトメールとして利用した場合、送信元にとって、ダイレクトメールの効果を向上させるために、ダイレクトメールの内容に興味を持つ相手に送信することが好ましいが、従来技術による電子メールは、所定の電子メールアドレスを有する相手がどのような内容に興味を持っているかを予め知らなければならず、更に、送信元は、送信先の電子メールアドレスの全てを予め知らなければならないという問題点があった。
上記した問題点を解決するため、情報提供者が提供する電子情報を配送条件に従って利用者に対して配送する電子情報配送システムが創出されている（例えば、特許文献１及び特許文献２参照。）。
【０００３】
しかしながら、特許文献１及び２記載の発明では、利用者が利用する携帯端末が変更される毎に、電子私書箱に保存させる属性情報や電子私書箱に保存される電子情報を送信するアドレスを設定し直さなければならず、利用者にとって煩雑な作業が必要とされていた。
また、電子私書箱や管理サーバに個人情報を保存しているので、第３者が個人情報を勝手に閲覧する危険性を含んでいた。
【０００４】
【特許文献１】
特開２００２−６３２０４号公報
【特許文献２】
特開２００２−６３１０１号公報
【０００５】
【発明が解決しようとする課題】
本発明は、このような実情に鑑みてなされたもので、提供者が提供する電子情報を管理サーバが有する電子私書箱を利用することによって、提供者は利用者の利用率の高い電子情報を利用者に送信することができる一方で、利用者は、煩雑な手間を必要とせず携帯端末から電子私書箱にアクセスするだけで所望する電子情報を受信することができると共に個人情報が漏洩する危険性の全く無い電子情報配送システム、電子情報配送方法及び電子情報配送システムで利用される管理サーバを提供する。
【０００６】
【課題を解決するための手段】
請求項１記載の発明は、電子情報を提供する電子情報提供者が有する提供者サーバと、該提供者が提供する該電子情報を保存し管理する管理サーバと、該管理サーバで管理される該電子情報を利用する利用者が有する携帯端末と、前記提供者サーバ、前記管理サーバ及び前記携帯端末を接続する通信ネットワークから構成される電子情報配信システムであって、前記管理サーバは、前記利用者毎に設けられた電子情報を保存する電子私書箱と、前記携帯端末に対して、前記携帯端末から送信される識別情報を受信する識別情報受信手段と、前記電子私書箱に保存される該電子情報の属性情報を、この識別情報を送信した前記携帯端末へ送信する第１送信手段と、前記携帯端末から送信される前記属性情報の中から選択される前記電子情報の内容を送信する第２送信手段と、前記提供者サーバに対して、
前記提供者サーバから送信される前記電子情報を受信する電子情報受信手段と、前記電子情報受信手段に於いて受信された前記電子情報を所定の規則に従って前記電子私書箱へ保存する保存処理手段とを具備することを特徴とする電子情報配送システムを提供する。
請求項２記載の発明は、前記携帯端末が前記管理サーバへ送信する識別情報は、ＪＡＶＡ（登録商標）アプレットを利用して作成されることを特徴とする請求項１記載の電子情報配送システムを提供する。
請求項３記載の発明は、前記ＪＡＶＡ（登録商標）アプレットは、前記管理サーバに保存され、前記携帯端末によって、ダウンロードされることを特徴とする請求項１又は２に記載の電子情報配送システムを提供する。
請求項４記載の発明は、前記管理サーバは、前記識別情報受信手段に於いて受信した前記識別情報の使用適正を判定する適正判定手段を有することを特徴とする請求項１乃至３いずれかに記載の電子情報配送システムを提供する。
請求項５記載の発明は、前記識別情報は、利用者を識別する利用者識別子と、該利用者識別子に整合性を具備させるための認証コードからなることを特徴とする請求項１乃至４いずれかに記載の電子情報配送システムを提供する。
請求項６記載の発明は、前記管理サーバは、前記認証コードと変更される新認証コードを受信することで、該認証コードから該新認証コードに変更することができる認証コード変更手段を有していることを特徴とする請求項１乃至５いずれかに記載の電子情報配送システムを提供する。
請求項７記載の発明は、前記管理サーバは、前記携帯端末から送信される前記識別情報に従って前記電子私書箱を作成する電子私書箱作成手段を有していることを特徴とする請求項１乃至６いずれかに記載の電子情報配送システムを提供する。
請求項８記載の発明は、前記電子私書箱作成手段は、前記利用者の属性情報を前記電子私書箱に保存することを特徴とする請求項１乃至７いずれかに記載の電子情報配送システムを提供する。
請求項９記載の発明は、前記保存処理手段が有する所定の規則は、前記電子私書箱に保存される前記属性情報に従って設定されていることを特徴とする請求項１乃至８いずれかに記載の電子情報配送システムを提供する。
請求項１０記載の発明は、前記電子私書箱に保存される電子情報は、テキスト形式によって作成された電子情報であることを特徴とする請求項１乃至９いずれかに記載の電子情報配信システムを提供する。
【０００７】
請求項１１記載の発明は、電子情報を提供する電子情報提供者が有する提供者サーバと、該提供者が提供する該電子情報を保存し管理する管理サーバと、該管理サーバで管理される該電子情報を利用する利用者が有する携帯端末と、前記提供者サーバ、前記管理サーバ及び前記携帯端末を接続する通信ネットワークから構成される電子情報配信方法であって、前記管理サーバが前記利用者の電子情報を保存する電子私書箱を作成し、前記提供者サーバから送信される電子情報を受信し、前記電子情報が所定の規則に従って前記電子私書箱に保存され、前記携帯端末が前記電子私書箱に保存されている電子情報の属性情報の送信を促す要求を送信し、前記管理サーバが、前記要求に応じて、前記電子私書箱に保存される前記電子情報の属性情報を前記携帯端末へ送信し、前記携帯端末が、前記属性情報から所望する電子情報を選出して、選出された該電子情報を該携帯端末へ送信することを促す送信を行い、前記管理サーバが、前記携帯端末からの前記促す送信に従って、前記電子私書箱から前記電子情報が送信されることを特徴とする電子情報配送方法を提供する。
【０００８】
請求項１２記載の発明は、電子情報を提供する電子情報提供者が有する提供者サーバと、該提供者が提供する該電子情報を保存し管理する管理サーバと、該管理サーバで管理される該電子情報を利用する利用者が有する携帯端末と、前記提供者サーバ、前記管理サーバ及び前記携帯端末を接続する通信ネットワークから構成される電子情報配信システムで利用される管理サーバであって、この管理サーバは、前記利用者毎に設けられた電子情報を保存する電子私書箱と、前記携帯端末に対して、前記携帯端末から送信される識別情報を受信する識別情報受信手段と、前記電子私書箱に保存される該電子情報の属性情報を、この識別情報を送信した前記携帯端末へ送信する第１送信手段と、前記携帯端末から送信される前記属性情報の中から選択される前記電子情報の内容を送信する第２送信手段と、前記提供者サーバに対して、前記提供者サーバから送信される前記電子情報を受信する電子情報受信手段と、前記電子情報受信手段に於いて受信された前記電子情報を所定の規則に従って前記電子私書箱へ保存する保存処理手段とを具備することを特徴とする電子情報配送システムで利用される管理サーバを提供する。
【０００９】
【発明の実施の形態】
本発明の実施の形態について図面を参照しつつ説明する。
本発明に係る電子情報配信システム（１）は、提供者サーバ（２）と、管理サーバ（３）と、携帯端末（４）と通信ネットワーク（５）から構成される。
図１は、本発明に係る概略構成図を示し、図２は本発明に係るシステム図を示し、図３は管理サーバと携帯端末に関するブロック線図を示し、図４は管理サーバと提供者サーバに関するブロック線図を示す。
【００１０】
提供者サーバ（２）は、電子情報を提供する電子情報提供者が有している。この提供者サーバ（２）が有する手段は、後述する管理サーバ（３）と電子情報の送受信を行う手段を有していれば特に限定されない。
電子情報提供者が管理サーバ（３）へ送信する電子情報は、利用者へ通知する内容と、提供者が電子情報を送信したい利用者の属性情報を有することが好ましい。提供者が提供する電子情報が、利用者の属性情報を有することによって、提供者が所望する利用者に確実にこの電子情報を送信することができるからである。
この属性情報は、特に限定されないが、例えば、生年月日、年齢、性別、趣味、興味、仕事、環境が考えられる。電子情報に属性情報を付加させることによって、この属性情報を有する後述する電子私書箱へ確実に送ることができるからである。
例えば、○×大学に属する利用者に電子情報を送信するためには、属性情報に○×大学という属性情報を付加させればよい。
【００１１】
携帯端末（４）は、後述する管理サーバ（３）に保存される電子情報を引き出し利用する利用者が有する端末である。
この携帯端末（４）が有する機能は、管理サーバ（３）へ識別情報の送信行う送信手段と、管理サーバ（３）から送信される電子情報を受信する受信手段が具備されている。
この携帯端末（４）が送信手段に於いて送信する識別情報は、管理サーバで作成されるＪＡＶＡ（登録商標）アプレットによって作成されることが好ましい。ＪＡＶＡ（登録商標）アプレットによって識別情報が作成されることによって、管理サーバ（３）がこの識別情報を受信した際に、このアプレットが管理サーバ（３）に保存される電子情報をこの携帯端末（４）へ送信することを促すことができるからである。
このＪＡＶＡ（登録商標）アプレットを利用する方法は、特に限定されないが、通信ネットワーク（５）上に設けられた任意のサーバからこのこのＪＡＶＡ（登録商標）アプレットをダウンロードして携帯端末（４）に保存させる方法が好ましい。このＪＡＶＡ（登録商標）アプレットをダウンロードして利用することによって、利用者は煩わしいプログラムを覚える必要なく、管理サーバ（３）へ識別情報を送信することができるからである。このＪＡＶＡ（登録商標）アプレットによって、識別情報を管理サーバ（３）へ送信する方法は、このＪＡＶＡ（登録商標）アプレットによって携帯端末（４）の画面上に識別情報を入力する入力欄を表示させ、利用者は入力欄に識別情報を記入する方法を有することができる。
【００１２】
携帯端末（４）から送信される識別情報は、利用者を識別する利用者識別子（４３）と、この利用者識別子（４３）に整合性を具備させるための認証コード（４４）から構成されることが好ましい（図５参照）。識別情報を利用者識別子（４３）と認証コード（４４）から構成されることで、携帯端末（４）から管理サーバ（４）へ送信する際に、この携帯端末（４）からの送信が適切な送信であるか判別することができるからである。
この利用者識別子（４３）及び認証コード（４４）は、利用者の所望する番号や文字列であれば構わないが、認証コード（４４）は、利用者本人のみが入力できるようにするために、図５で示す如く暗号化して表示されることが好ましい。
【００１３】
本発明に係る携帯端末（４）として考えられる端末は、上記したこのＪＡＶＡ（登録商標）アプレットが利用できる端末であれば特に限定されないが、ＰＨＳ（Ｐｅｒｓｏｎａｌ  Ｈａｎｄｙ−ｐｈｏｎｅ  Ｓｙｓｔｅｍ）、携帯電話器、カメラ付き携帯電話器、又、ＰＤＡ（Ｐｅｒｓｏｎａｌ  Ｄｉｇｉｔａｌ  Ａｓｓｉｓｔａｎｔ）などが考えられる。
【００１４】
管理サーバ（３）は、提供者サーバ（２）から送信される提供者が提供する電子情報を保存し管理すると共に、後述する携帯端末（４）の要求に応じて電子情報の送信を行う。
本発明に係る管理サーバ（３）は、電子私書箱（３Ａ）と、電子私書箱作成手段（３Ｂ）と、携帯端末（４）に対して、識別情報受信手段（３Ｃ）と、適正判定手段（３Ｄ）と、識別情報処理手段（３Ｅ）と、第１送信手段（３Ｆ）と、第１受信手段（３Ｇ）と、第１処理手段（３Ｈ）と、第２送信手段（３Ｉ）と、認証コード変更手段（３Ｊ）と、又、提供者端末（２）に対して、電子情報受信手段（３ａ）と、保存処理手段（３ｂ）とを有している。
【００１５】
電子私書箱（３Ａ）は、利用者毎に設けられる電子情報を保存するデータベースである。この電子私書箱（３Ａ）は、後述する電子私書箱作成手段（３Ｂ）によって、利用者毎に設定され、電子情報が保存されている。
この電子私書箱（３Ａ）に保存される電子情報は、テキスト形式で作成されていることが好ましい。電子情報がテキスト形式で作成されることによって、電子私書箱（３Ａ）の保存される際の容量を節減できると共に、携帯端末（４）へ送信する際に於いても送信時間を短くすることができるからである。尚、この電子情報に詳細な情報を掲載したい場合には、この詳細な情報を保存するＵＲＬ（Ｕｎｉｆｏｒｍ  Ｒｅｓｏｕｒｃｅ  Ｌｏｃａｔｅｒ）を掲載することで、携帯端末（４）から直接アクセスして閲覧できるようにすれば構わない。
電子私書箱作成手段（３Ｂ）は、上記した電子私書箱（３Ａ）を作成する。この電子私書箱作成手段（３Ｂ）の有する各利用者の電子私書箱（３Ａ）を作成する方法は、特に限定されないが、携帯端末（４）から送信される識別情報を受信した後に、この識別情報を有するアドレスを電子私書箱（３Ａ）内に設定することにより作成する方法で構わない。
この時、利用者が管理サーバ（２）へ送信する識別情報の他に、利用者の属性情報を合わせて電子私書箱作成手段（３Ｂ）に送信する。利用者の属性情報は、例えば、生年月日、年齢、性別、趣味、興味、仕事、環境等があり、これらを利用者は適宜選択して電子私書箱作成手段（３Ｂ）へ送信する。電子私書箱作成手段（３Ｂ）に送信された属性情報は、識別情報によって作成された個別に設けられた電子私書箱（３Ａ）に保存される。電子私書箱（３Ａ）に保存されることで、この電子私書箱（３Ａ）が有する属性情報を決定することになる。
この属性情報を送信する方法は、特に限定されないが、電子私書箱（３Ａ）を作成するためのＪＡＶＡ（登録商標）アプレットを送信する際に、一緒に管理サーバ（２）の電子私書箱作成手段（３Ｂ）へ送信する方法で構わない（図６参照）。
尚、電子私書箱（３Ａ）の電子情報が保存される期間は、特に限定されないが、電子情報提供者又はこの管理サーバ（３）の管理者が適宜設定すれば構わず、この期間を過ぎた電子情報を電子私書箱（３Ａ）から自動的に削除されるように設定される。
【００１６】
識別情報受信手段（３Ｃ）は、携帯端末（４）から送信される識別情報を受信する。
適正判定手段（３Ｄ）は、識別情報受信手段（３Ｃ）に於いて受信した識別情報の使用適正を判定する。
この適正判定手段（３Ｄ）が行う識別情報の使用適正の判定は、携帯端末（４）から送信された識別情報である利用者識別子と認証コードが、電子私書箱（３Ａ）に保存されている識別情報である利用者識別子と認証コードがそれぞれ整合しているかを判断する方法である。
この判定によって、送信された識別情報と電子私書箱に保存される識別情報が一致すれば、後述する次の識別情報処理手段（３Ｅ）へこの識別情報が送られる。一方で、送信された識別情報と電子私書箱に保存される識別情報が一致しないに場合は、一致しない旨を識別情報を送信した携帯端末（４）へ返送する。
【００１７】
識別情報処理手段（３Ｅ）は、上述した適性判定手段（３Ｅ）に於いて適正であった識別情報（電子私書箱に保存される識別情報と同一であった識別情報）を有する電子私書箱（３Ａ）にアクセスする。更に、この時、識別情報処理手段（３Ｅ）によって、送信された識別情報の電子私書箱（３Ａ）に保存されている全ての電子情報の属性情報の一覧表が作成される。
この識別情報処理手段（３Ｅ）が作成する属性情報の一覧表は、電子情報の内容を概要的に表した表であり、例えば、送信元の情報、電子情報の件名や送信時刻等を適宜選択して一覧表にしたものである。この一覧表が表示する項目は、携帯端末（４）利用者がこの一覧表を受信した際に、ＪＡＶＡ（登録商標）アプレットを起動して、表示する項目を適宜設定しても構わない。この一覧表に含まれる項目は、特に限定されないが、少なくとも上記した電子情報の件名と送信元の名前を含ませることが好ましい（図７参照）。電子情報の件名と送信元の名前を一覧表にすることによって、電子私書箱（３Ａ）に保存されている電子情報の内容が利用者にとって必要か否かを知ることができるからである。
【００１８】
第１送信手段（３Ｆ）は、識別情報処理手段に於いて作成された属性情報の一覧表を、識別情報を送信した携帯端末（４）へ送信する。
この第１送信手段（３Ｆ）に於いて携帯端末（４）へ送信される属性情報の一覧表は、上記したように、携帯端末（４）がこの属性情報の一覧表を受信すると、ＪＡＶＡ（登録商標）アプレットが起動し、利用者が適宜選択した電子情報の件名や送信元の名前を表示する。この時、利用者は、自らが興味ある電子情報を選択して、管理サーバ（３）へ利用者が選択したこの電子情報を、利用者の携帯端末（４）へ送信することを促す要求を管理サーバ（３）へ送信する。この管理サーバ（３）へ送信する要求は、ＪＡＶＡ（登録商標）アプレットによって、利用者が所望する属性情報の一覧表に表示される電子情報を選択することで、管理サーバ（３）から送信されるように作成されている。
【００１９】
第１受信手段（３Ｇ）は、利用者が適宜選択した電子情報を電子私書箱（３Ａ）から利用者の携帯端末（４）へ送信を行う要求を受信する。
第１受信手段（３Ｇ）に於いて受信された要求は、第１処理手段（３Ｈ）へと送られる。
第１処理手段（３Ｈ）は、この要求を送信した利用者が有する電子私書箱（３Ａ）に保存される電子情報の中から、送信された要求に応じて電子私書箱（３Ａ）に保存される電子情報を選出する。
【００２０】
第１処理手段（３Ｈ）に於いて選出された電子情報は、第２送信手段（３Ｉ）へ送られる。
この第２送信手段（３Ｉ）は、選出された電子情報を、第１受信手段（３Ｇ）に於いて受信した要求を送信した携帯端末（４）へ送信する。
【００２１】
認証コード変更手段（３Ｊ）は、現在使用している認証コードを受信することで、新認証コードに変更することができる。この認証コード変更手段（３Ｊ）が有する変更方法は、特に限定されないが、図８で示す如く、管理サーバ（３）へ利用者識別子と現在使用している認証コード（識別情報）を送信すると共に利用者が所望する新たな認証コードを同時に送信する方法で構わない。この方法で認証コードが変更されることによって、利用者は面倒な手間をかけずに認証コードの変更を行うことができる。
尚、図８で示されるような識別情報と新認証コードを表示し、管理サーバ（３）へ送信することのできる手段は、ＪＡＶＡ（登録商標）アプレットによって作成される。
【００２２】
管理サーバ（３）は、提供者サーバ（２）に対して、電子情報受信手段（３ａ）と、保存処理手段（３ｂ）とを有している。
電子情報受信手段（３ａ）は、提供者サーバ（２）から送信される電子情報を受信する。
電子情報受信手段（３ａ）に於いて受信された電子情報は、保存処理手段（３ｂ）へ送られる。この保存処理手段（３ｂ）は、電子情報受信手段（３ａ）に於いて受信された電子情報を所定の規則に従って電子私書箱（３ａ）に保存する。
保存処理手段（３ｂ）が有する所定の規則は、提供者サーバ（２）から送信される電子情報の属性情報と同一の属性情報を有する電子私書箱（３Ａ）へこの電子情報が保存されることになる（図９参照）。
【００２３】
本発明に係る通信ネットワーク（５）は、携帯端末（４）と、管理サーバ（３）と提供者サーバ（４）を送受信可能に接続する通信手段である。
この通信ネットワーク（５）の構成は、特に限定されず、インターネット等の通信方法や専用回線を使用する通信方法、衛星通信を利用する方法でも構わない。
以上が本発明に係る電子情報配送システムの構成の説明である。
【００２４】
本発明の電子配送システムの作用を図面を参照しつつ説明する。
図１０は、本発明に係る実施形態の動作を示すフローチャートである。
本発明の管理サーバ（３）に利用者の電子私書箱（３Ａ）を作成する。
携帯端末（４）利用者は、先ず本発明に係る電子情報配送システム（１）で利用されるＪＡＶＡ（登録商標）アプレットを任意のホームページ（又は管理サーバ（２））からダウンロードを行う（Ｓ１）。
このＪＡＶＡ（登録商標）アプレットを利用して、識別情報である利用者識別子（４３）及び認証コード（４４）を作成して管理サーバ（３）へ送信する（Ｓ２）。
管理サーバ（３）は、電子私書箱作成手段（３Ｂ）に於いて、携帯端末（４）から送信される識別情報を受信する。この時、携帯端末（４）から送信される識別情報には、この利用者が適宜選択した属性情報が付加されている。図６に示される如く、利用者が所望する情報に関する属性情報、例えば、男、２０代、○×大学所属、趣味野球といった具合に属性情報を選択する。
携帯端末（４）から送信された識別情報は、管理サーバ（３）の電子私書箱作成手段（３Ｂ）に於いて受信され（Ｓ３）、この識別情報を有するアドレスが電子私書箱（３Ａ）に設けられる（Ｓ４）。この時、この電子私書箱（３Ａ）に利用者の属性情報が保存される（Ｓ５）。
管理サーバ（３）は、携帯端末（４）へこの利用者の電子私書箱（３Ａ）が作成できた旨を送信しても構わない。
【００２５】
提供者サーバ（２）は、属性情報を有する電子情報を作成する。この時作成された電子情報が有する属性情報は、電子情報提供者がこの電子情報を送信したい利用者の属性情報を付加させている。例えば、○×大学の利用者に送信を行いたい場合であれば、電子情報を作成し、○×大学に属するという属性情報を付加すればよい。
作成された電子情報は、管理サーバ（３）へ送信される（Ｓ６）。
【００２６】
提供者サーバ（２）から送信された電子情報は、管理サーバ（３）の電子情報受信手段（３ａ）に於いて受信される（Ｓ７）。
受信された電子情報は、保存処理手段（３ｂ）に送られる。この保存処理手段（３ｂ）は、受け取った電子情報の属性情報を検討して（Ｓ８）、この属性情報を同一の属性情報を有する電子私書箱（３Ａ）を選出し、この電子私書箱（３Ａ）へこの電子情報を送信する（図９参照）。
【００２７】
利用者が電子私書箱（３Ａ）に保存される電子情報を入手する際の電子情報配送システム（１）の動作を説明する。
図１１は、電子情報を入手する際の電子情報配送システムの動作を示すフローチャートである。
利用者は、ＪＡＶＡ（登録商標）アプレットを利用して識別情情報を作成する（Ｓ１１）。作成された識別情報を送信手段によって、管理サーバ（３）へ送信する（Ｓ１２）。
【００２８】
携帯端末（４）から送信された識別情報は、識別情報受信手段（３Ｃ）に於いて受信される（Ｓ１３）。識別情報受信手段（３Ｃ）に於いて受信された識別情報は、適正判定手段（３Ｄ）へ送られる。この適正判定手段（３Ｄ）によって、携帯端末（４）から送信された識別情報に含まれる利用者識別子（４３）と認証コード（４４）は、電子私書箱（３Ａ）に保存される利用者識別子と認証コードと比較して使用適正の判定を行う（Ｓ１４）。この時、適正判定手段（３Ｄ）に於いて送信された識別情報と電子私書箱（３Ａ）の識別情報が一致すれば識別情報処理手段（３Ｅ）へ送られ（Ｓ１５）、識別情報が一致しない場合は、その旨の通知を携帯端末（４）へ送信する。
識別情報処理手段（３Ｅ）に送られた識別情報は、この識別情報に於ける電子私書箱（３Ａ）にアクセスされ、この電子私書箱（３Ａ）に保存される電子情報の属性情報の一覧表が作成される（Ｓ１７）。
作成された属性情報の一覧表は、第１送信手段（３Ｆ）に送られる。第１送信手段（３Ｆ）は、図１２に示す如く、この属性情報の一覧表を携帯端末（４）へと送信する（Ｓ１８）。
【００２９】
携帯端末（４）は、管理サーバ（３）から属性情報の一覧表を受信し、表示する。利用者はこの一覧表を閲覧することで、利用者が所望する内容の電子情報を選出する（Ｓ２０）。選出された電子情報の内容を携帯端末（４）へ送信させる要求をＪＡＶＡ（登録商標）アプレットを利用して作成する（Ｓ２１）。
【００３０】
携帯端末（４）から送信された要求は、第１受信手段（３Ｇ）に於いて受信される（Ｓ２２）。第１受信手段（３Ｇ）は、受信した携帯端末（４）からの要求を第１処理手段へ送る。この第１処理手段（３Ｈ）は、受信された携帯端末（４）からの要求に従って、電子私書箱（３Ａ）に保存された電子情報の中から要求によって指定された電子情報が選出され、この電子情報が第２送信手段（３Ｉ）に送られる（Ｓ２３）。
第２送信手段（３Ｉ）は、図１３で示す如く、受け取った電子情報を携帯端末（４）へ送信する（Ｓ２４）。
携帯端末（４）は、電子情報を受信し（Ｓ２５）、利用者は所望した電子情報を閲覧することができる。
尚、電子私書箱（３Ａ）に保存される電子情報は、所定期間の経過後に自動的に削除される（Ｓ２６）。
【００３１】
利用者が識別情報の認証コード（４４）を変更する際には、図８で示す如く、利用者識別子（４３）、現時点での認証コード（４４）及び新しく設定する新認証コードを合わせて送信する。
管理サーバ（３）の認証コード変更手段（３Ｊ）に於いて、携帯端末（４）からの利用者識別子（４３）、現時点での認証コード（４４）及び新しく設定する新認証コードを受信する。認証コード変更手段（３Ｊ）は、利用者識別子（４３）と現時点の認証コード（４４）によって、この送信された識別情報の整合性を確認し、正しければ新認証コードへの変更を行う。尚、新認証コードは、電子私書箱（３Ａ）に保存される。
以上が本発明に係るシステムの作用の説明である。
【００３２】
【発明の効果】
請求項１記載の発明によって、提供者が提供する電子情報を管理サーバが有する電子私書箱に保存することによって、提供者は利用者の利用率の高い電子情報を利用者に送信することができる一方で、利用者は、携帯端末から電子私書箱にアクセスするだけで所望する電子情報を受信することができると共に個人情報が漏洩する危険性の全く無い電子情報配送システムを提供することができる。
又、携帯端末を変更しても、電子情報が電子私書箱に保存されているので、自由に変更することができる。
【００３３】
請求項２及び３に記載の発明によって、ＪＡＶＡ（登録商標）アプレットを利用することによって、利用者にとって容易に使用することができる電子情報配送システムを提供することができる。
【００３４】
請求項４及び５に記載の発明によって、電子私書箱の安全性を向上させることができる電子情報配送システムを提供することができる。
【００３５】
請求項６記載の発明によって、利用者は個人情報を送信することなく、容易に認証コードを変更することができる電子情報配送システムを提供することができる。
請求項７記載の発明によって、提供者は利用者に利用率の高い情報を配送することができる電子情報配送システムを提供することができる。
請求項８記載の発明によって、電子私書箱を容易に作成することができる電子情報配送システムを提供することができる。
【００３６】
請求項９記載の発明によって、電子情報を利用率の高いと考えられる利用者に配送することができる電子情報配送システムを提供することができる。
請求項１０記載の発明によって、電子情報がテキスト形式で作成されることで、電子私書箱に保存されるデータ容量を削減することができる電子情報配送システムを提供することができる。
【００３７】
請求項１１記載の発明によって、提供者が提供する電子情報を管理サーバが有する電子私書箱に保存することによって、提供者は利用者の利用率の高い電子情報を利用者に送信することができる一方で、利用者は、携帯端末から電子私書箱にアクセスするだけで所望する電子情報を受信することができると共に個人情報が漏洩する危険性の全く無い電子情報配送方法を提供することができる。
又、携帯端末を変更しても、電子情報が電子私書箱に保存されているので、自由に変更することができる。
【００３８】
請求項１２記載の発明によって、提供者が提供する電子情報を管理サーバが有する電子私書箱に保存することによって、提供者は利用者の利用率の高い電子情報を利用者に送信することができる一方で、利用者は、携帯端末から電子私書箱にアクセスするだけで所望する電子情報を受信することができると共に個人情報が漏洩する危険性の全く無い電子情報配送システムに利用される管理サーバを提供することができる。
又、携帯端末を変更しても、電子情報が電子私書箱に保存されているので、自由に変更することができる管理サーバを提供することができる。
【図面の簡単な説明】
【図１】本発明に係る概略構成図を示す。
【図２】図２は本発明に係るシステム図を示す
【図３】管理サーバと携帯端末に関するブロック線図を示す。
【図４】管理サーバと提供者サーバに関するブロック線図を示す。
【図５】本発明に係る識別情報を示す表示画面の図を示す。
【図６】本発明に係る属性情報を示す表示画面の図を示す。
【図７】本発明に係る属性情報の一覧表を示す表示画面の図を示す。
【図８】本発明に係る認証コードを変更する表示画面の図を示す。
【図９】保存処理手段による電子情報の配送を示す図である。
【図１０】本発明に係る実施形態の動作を示すフローチャートである。
【図１１】電子情報を入手する際の電子情報配送システムの動作を示すフローチャートである。
【図１２】本発明に係る一覧表を送信する様子を示す。
【図１３】本発明に係る電子情報を送信する様子を示す。
【符号の説明】
１・・・・・電子情報配送システム
２・・・・・提供者サーバ
３・・・・・管理サーバ
３Ａ・・・・電子私書箱
３Ｂ・・・・電子私書箱作成手段
３Ｃ・・・・識別情報受信手段
３Ｄ・・・・適正判定手段
３Ｅ・・・・識別情報処理手段
３Ｆ・・・・第１送信手段
３Ｇ・・・・第１受信手段
３Ｈ・・・・第１処理手段
３Ｉ・・・・第２送信手段
３Ｊ・・・・認証コード変更手段
３ａ・・・・電子情報受信手段
３ｂ・・・・保存処理手段
４・・・・・携帯端末
４３・・・・利用者識別子
４４・・・・認証コード
５・・・・・通信ネットワーク
【図１】
2004362473.tif 000003
【図２】
2004362473.tif 000004
【図３】
2004362473.tif 000005
【図４】
2004362473.tif 000006
【図５】
2004362473.tif 000007
【図６】
2004362473.tif 000008
【図７】
2004362473.tif 000009
【図８】
2004362473.tif 000010
【図９】
2004362473.tif 000011
【図１０】
2004362473.tif 000012
【図１１】
2004362473.tif 000013
【図１２】
2004362473.tif 000014
【図１３】
2004362473.tif 000015